(57)【要約】【課題】  ＬＥＤ発光素子を内蔵するＬＥＤ照明装置であることを外部から容易に視認できるようにする。【解決手段】  ＬＥＤ照明装置１において、外部視認用のＬＥＤ発光素子１１および照明用のＬＥＤ発光素子１２を含む複数のＬＥＤ発光素子と、これら複数のＬＥＤ発光素子を内蔵する照明管２とを設けるとともに、照明管２には、外部視認用のＬＥＤ発光素子１１からの出射光を外部に透過させることにより、当該出射光がＬＥＤ出射光であることを外部に視認させるための視認部としての孔２ｈを形成する。【選択図】  図１
2011233400.tif 000002
【特許請求の範囲】
【請求項１】
ＬＥＤ照明装置であって、
外部視認用のＬＥＤ発光素子および照明用のＬＥＤ発光素子を含む複数のＬＥＤ発光素子と、
前記複数のＬＥＤ発光素子を内蔵する照明管とを備え、
前記照明管には、前記外部視認用のＬＥＤ発光素子からの出射光を外部に透過させる視認部が設けられている、
ことを特徴とするＬＥＤ照明装置。
【請求項２】
請求項１において、
前記照明管の内部には、前記外部視認用のＬＥＤ発光素子からの出射光を前記視認部に導くための導光手段が設けられている、
ことを特徴とするＬＥＤ照明装置。
【請求項３】
請求項１または２において、
前記照明管の端部には、外部のソケット部に着脱自在に接続される電極を一端に有する口金部が設けられるとともに、前記照明管および前記口金部が相対回転可能に設けられている、
ことを特徴とするＬＥＤ照明装置。
【請求項４】
請求項２または３において、
前記導光手段が、前記外部視認用のＬＥＤ発光素子からの出射光を、当該外部視認用のＬＥＤ発光素子の光軸方向に配向する指向性を有している、
ことを特徴とするＬＥＤ照明装置。
【請求項５】
請求項１において、
前記外部視認用のＬＥＤ発光素子が、前記照明用のＬＥＤ発光素子と同色のＬＥＤ発光素子から構成されている、
ことを特徴とするＬＥＤ照明装置。
【発明の詳細な説明】
【技術分野】
【０００１】
本発明は、ＬＥＤ照明装置に関し、詳細には、ＬＥＤ発光素子を内蔵する照明装置であることを外部から容易に視認できるＬＥＤ照明装置に関する。
【背景技術】
【０００２】
光源として、発光ダイオード（ＬＥＤ）を用いた蛍光灯型のＬＥＤ照明装置が提案されている（特開２００７−２５７９２８号公報参照）。一般に、発光ダイオードは、蛍光灯に比べて、消費電力が低く、長寿命であるため、照明装置の光源として最近注目されている。
【発明の概要】
【発明が解決しようとする課題】
【０００３】
ところが、前記従来のＬＥＤ照明装置では、ＬＥＤを内蔵する照明管として、例えば乳白色等の半透明なものを採用した場合、照明管の内部に収容された発光体がＬＥＤであることを明確に識別するのが困難になる。このため、従来の蛍光管と混在した場合には、その選別は容易ではない。
【０００４】
また、ＬＥＤ照明装置として、特開２００７−１２２９３３号公報には、ＬＥＤが搭載された基板を回転自在に設けたものが示されている。当該装置では、基板を所望角度だけ適宜回転させることにより、指向性を有するＬＥＤからの出射光を使用者の所望方向に照射させることができる。
【０００５】
しかしながら、この場合において、当該照明装置に例えば乳白色等の半透明なカバーが設けられる場合には、カバー内部のＬＥＤが外部から見えにくくなるため、基板を回転させたときに、ＬＥＤの光軸方向が正確に特定できなくなる。その一方、製造や組立て等の現場や、細かな作業を行う作業場等において、作業内容に応じて照明灯の明るさを最大限明るくしたい場合もある。指向性を有するＬＥＤ照明灯においては、一般に、ＬＥＤの光軸方向がもっとも明るくなるため、ＬＥＤ搭載基板を回転させた場合に、光軸方向を特定できれば、非常に好都合である。
【０００６】
本発明は、このような従来の実情に鑑みてなされたものであり、本発明が解決しようとする課題は、ＬＥＤ発光素子を内蔵する照明装置であることを外部から容易に視認できるＬＥＤ照明装置を提供することにある。また、本発明は、ＬＥＤを内蔵する照明管がその両端の口金部に対して相対回転可能なＬＥＤ照明装置において、ＬＥＤ発光素子の光軸方向を容易に特定できるようにしようとしている。
【課題を解決するための手段】
【０００７】
請求項１の発明に係るＬＥＤ照明装置は、外部視認用のＬＥＤ発光素子および照明用のＬＥＤ発光素子を含む複数のＬＥＤ発光素子と、これら複数のＬＥＤ発光素子を内蔵する照明管とを備えている。照明管には、外部視認用のＬＥＤ発光素子からの出射光を外部に透過させる視認部が設けられている。
【０００８】
請求項１の発明によれば、外部視認用のＬＥＤ発光素子が設けられるとともに、当該外部視認用のＬＥＤ発光素子からの出射光を外部に透過させる視認部が照明管に設けられているので、この視認部を通して、外部視認用のＬＥＤ発光素子からの出射光を使用者が外部から視認でき、これにより、当該照明装置がＬＥＤ発光素子を内蔵するＬＥＤ照明装置であることを外部から容易に視認できるようになる。この場合には、視認部が照明管に設けられるので、ＬＥＤ照明装置であることの視認が外部から容易に行える。
【０００９】
請求項２の発明では、請求項１において、照明管の内部には、外部視認用のＬＥＤ発光素子からの出射光を視認部に導くための導光手段が設けられている。
【００１０】
この場合には、導光手段により、外部視認用のＬＥＤ発光素子からの出射光を視認部に確実に導くことができるので、視認部によるＬＥＤ出射光の視認がさらに容易になる。
【００１１】
請求項３の発明では、請求項１または２において、照明管の端部には、外部のソケット部に着脱自在に接続される電極を一端に有する口金部が設けられるとともに、照明管および口金部が相対回転可能に設けられている。
【００１２】
この場合には、照明管および（または）口金部を所望量回転させることにより、照明用のＬＥＤ発光素子の照射方向を所望の方向に変更でき、配光特性を変更できる。このとき、照明管に視認部が設けられていることにより、照明管を回転させた場合でも、ＬＥＤ照明装置であることの視認が外部から容易に行える。
【００１３】
また、この場合において、照明管の内部に導光手段が設けられている場合には、導光手段により、外部視認用のＬＥＤ発光素子からの出射光を視認部に確実に導くことができるので、照明管を回転させた場合でも、視認部によるＬＥＤ出射光の視認を容易に行える。
【００１４】
請求項４の発明では、請求項２または３において、導光手段が、外部視認用のＬＥＤ発光素子からの出射光を、当該外部視認用のＬＥＤ発光素子の光軸方向に配向する指向性を有している。
【００１５】
この場合には、導光手段が狭指向性（高指向性）を有しているので、外部視認用のＬＥＤ発光素子の光軸方向を視認部に一致させておくことにより、視認部を通して光軸方向が明確になり、これにより、照明用のＬＥＤ発光素子からの出射光の方向（つまり照射方向）を明確に確認できるようになる。
【００１６】
使用の際、使用者は、視認部を通して照明管内部を見て外部視認用のＬＥＤ発光素子の光軸方向を使用者の所望する方向に合わせることにより、照明用のＬＥＤ発光素子の光軸方向（照射方向）を使用者の所望する方向に向けることができる。
【００１７】
請求項５の発明では、請求項１において、外部視認用のＬＥＤ発光素子が、照明用のＬＥＤ発光素子と同色のＬＥＤ発光素子から構成されている。
【００１８】
この場合、照明管に収容されるすべてのＬＥＤ発光素子が同色のものから構成されるので、異なった色のＬＥＤ発光素子を用意する必要がなく、誤組みの恐れがなくなって、組立・検査コストを低減できる。また、この場合、例えば、照明用のＬＥＤ発光素子の上にのみ蛍光体を配置するようにすれば、同じ色のＬＥＤ発光素子を用いて外部視認用ＬＥＤ発光素子および照明用ＬＥＤ発光素子間で異なる色を発光できるようになる。
【発明の効果】
【００１９】
以上のように、本発明に係るＬＥＤ照明装置によれば、外部視認用のＬＥＤ発光素子を設け、当該外部視認用のＬＥＤ発光素子からの出射光を外部に透過させる視認部を照明管に設けるようにしたので、この視認部を通して、外部視認用のＬＥＤ発光素子からの出射光を使用者が外部から視認でき、これにより、当該照明装置がＬＥＤ発光素子を内蔵するＬＥＤ照明装置であることを外部から容易に視認できるようになる。この場合、視認部が照明管に設けられるので、ＬＥＤ照明装置であることの視認が外部から容易に行える。
【図面の簡単な説明】
【００２０】
【図１】本発明の第１の実施例によるＬＥＤ照明装置の正面概略図である。
【図２】図１のII-II線断面（縦断面）概略図である。
【図３】前記ＬＥＤ照明装置（図１）の斜視部分図である。
【図４】図１のIV-IV線断面（横断面）概略図である。
【図５】本発明の第２の実施例によるＬＥＤ照明装置の横断面概略図であって、前記第１の実施例の図４に相当する図である。
【図６】本発明の第３の実施例によるＬＥＤ照明装置の横断面概略図であって、前記第１の実施例の図４に相当する図である。
【図７】本発明の第４の実施例による回転機構付きＬＥＤ照明装置において、回転機構の第１の例を示す正面概略部分図である。
【図８】図７のVIII-VIII線矢視図である。
【図９】本発明の第４の実施例による回転機構付きＬＥＤ照明装置において、回転機構の第２の例を示す分解組立図である。
【図１０】図９のX-X線矢視図である。
【図１１】本発明の第４の実施例による回転機構付きＬＥＤ照明装置において、回転機構の第３の例を示す正面概略部分図である。
【図１２】前記回転機構（図１１）の縦断面概略部分図である。
【図１３】前記回転機構（図１１）を構成する口金部の全体斜視図である。
【図１４】回転機構付きＬＥＤ照明装置の使用方法を説明するための図である。
【図１５】回転機構付きＬＥＤ照明装置の使用方法を説明するための図である
【図１６】本発明の第５の実施例によるＬＥＤ照明装置の斜視部分図である。
【図１７】前記ＬＥＤ照明装置（図１６）の横断面概略図である。
【図１８】本発明の第６の実施例によるＬＥＤ照明装置の横断面概略構成図である。
【発明を実施するための形態】
【００２１】
以下、本発明の実施例を添付図面に基づいて説明する。
〔第１の実施例〕
図１ないし図４は、本発明の第１の実施例によるＬＥＤ照明装置を示している。
このＬＥＤ照明装置１は、図１および図２に示すように、長手方向に延びる筒状の照明管２と、その両端に設けられた口金部３とを有している。ＬＥＤ照明装置１の外観構造は、従来の蛍光管とほぼ同様であり、従来の蛍光管と代替可能である。
【００２２】
照明管２は、例えば樹脂製またはガラス製の透光性部材であって、ここでは、例えば乳白色等の半透明なものが用いられる。照明管２の一端側には、小径の孔２ｈが貫通形成されている（図３参照）。照明管２は、従来の蛍光管のように、内部にガスを封入する必要がないため、気密構造は要求されない。
【００２３】
口金部３は、外部のソケット部（図示せず）に対して着脱自在に接続される一対のピン端子（電極）３０を有している。なお、ソケット部は、例えば、屋内の天井や壁面等、または装置や制御盤のパネル等に設置されている。
【００２４】
照明管２の内部には、長手方向に延びる基板１０が配設されており、基板１０は、照明管２に固定されている。基板１０は、図４に示すように、例えば、照明管２の内部に設けられかつ長手方向に延びる支持部２ｓによって、その幅方向両端部が支持されている。
【００２５】
基板１０の上には、複数のＬＥＤ発光素子１１、１２が搭載されている。ＬＥＤ発光素子１１は外部視認用であり、ＬＥＤ発光素子１２は照明用である。
【００２６】
外部視認用のＬＥＤ発光素子１１は、基板１０の一端側に配置されており、照明管２の孔２ｈに対向配置されている。これにより、図４に示すように、外部視認用のＬＥＤ発光素子１１から出射された光Ｌは、照明管２の孔２ｈを通って、外部に直接照射されるようになっている。この意味で、孔２ｈは、外部視認用のＬＥＤ発光素子１１からの出射光がＬＥＤ出射光であることを外部に視認させるための視認部として機能している。一方、照明用のＬＥＤ発光素子１２は、外部視認用のＬＥＤ発光素子１１の側方に所定間隔で複数個配置されている。各ＬＥＤ発光素子１１、１２は、各ピン端子３０に例えばリード線やコネクタ等（図示せず）を介して電気的に接続されている。
【００２７】
ここでは、各ＬＥＤ発光素子１１、１２がいずれも同色のＬＥＤ発光素子から構成されている場合を例にとる。例えば、各ＬＥＤ発光素子１１、１２はいずれも青色発光ダイオードから構成されている。この場合、例えば、照明用のＬＥＤ発光素子１２の上にのみ、青色光により励起されて黄色の蛍光を発する蛍光体を設けるようにすれば、照明用のＬＥＤ発光素子１２からの青色光と蛍光体からの黄色光とが混合されて、白色の出射光が得られる。一方、外部視認用のＬＥＤ発光素子１１からの出射光は、青色である。
【００２８】
上述のように構成されるＬＥＤ照明装置１においては、照明用のＬＥＤ発光素子１２および蛍光体からの光（白色光）は、照明管２で拡散されて外部に照射される。また、外部視認用のＬＥＤ発光素子１１からの光（青色光）Ｌは、照明管２の孔２ｈを通って、外部に出射される（図４参照）。
【００２９】
このとき、使用者は、照明管２の孔２ｈを通して、外部視認用のＬＥＤ発光素子１１からの出射光がＬＥＤ出射光であることを外部から視認でき、これにより、当該照明装置がＬＥＤ発光素子を内蔵するＬＥＤ照明装置であることを外部から容易に視認できる。この場合には、視認部としての孔２ｈが照明管２に設けられるので、ＬＥＤ照明装置であることの視認が外部から容易に行える。
【００３０】
また、この場合、照明管２に収容されるすべてのＬＥＤ発光素子１１、１２が同色のものから構成されるので、異なった色のＬＥＤ発光素子を用意する必要がなく、誤組みの恐れがなくなって、組立・検査コストを低減できる。なお、この場合、蛍光体を用いることで、同じ色のＬＥＤ発光素子を用いて外部視認用ＬＥＤ発光素子１１および照明用ＬＥＤ発光素子１２間で異なる色を発光できる。
【００３１】
〔第２の実施例〕
図５は、本発明の第２の実施例によるＬＥＤ照明装置を示している。同図において、前記第１の実施例と同一符号は同一または相当部分を示している。
【００３２】
この第２の実施例では、照明管２の内部において孔２ｈの開口部に導光ガイド（導光手段）２ｇが設けられている点が、前記第１の実施例と異なっている。導光ガイド２ｇは、例えば樹脂製の板状または筒状の部材である。この場合、外部視認用のＬＥＤ発光素子１１からの出射光Ｌは、導光ガイド２ｇの内部を進んで孔２ｈの開口部まで導かれ、孔２ｈの開口部から外部に出射される。
【００３３】
第２の実施例によれば、導光ガイド２ｇにより、外部視認用のＬＥＤ発光素子１１からの出射光を視認部としての孔２ｈに確実に導くことができ、視認部によるＬＥＤ出射光の視認がさらに容易になる。
【００３４】
〔第３の実施例〕
図６は、本発明の第３の実施例によるＬＥＤ照明装置を示している。同図において、前記第１の実施例と同一符号は同一または相当部分を示している。
【００３５】
この第３の実施例では、照明管２の内部において、外部視認用のＬＥＤ発光素子１１および孔２ｈの間に導光体（導光手段）２ｉが設けられている点が、前記第１の実施例と異なっている。導光体２ｉは、光透過性を有する、例えば樹脂製の柱状部材であって、外部視認用のＬＥＤ発光素子１１からの出射光を、当該外部視認用のＬＥＤ発光素子１１の光軸方向に収束させて配向する指向性を有している。すなわち、第３の実施例では、外部視認用のＬＥＤ発光素子１１から導光体２ｉの内部を通って出射される光は、狭指向性（高指向性）を有している。
【００３６】
この場合、外部視認用のＬＥＤ発光素子１１からの出射光Ｌは、導光体２ｉの内部を進みつつ、収束されて孔２ｈの開口部まで導かれ、孔２ｈの開口部から外部に出射される。
【００３７】
第３の実施例によれば、導光体２ｉにより、外部視認用のＬＥＤ発光素子１１からの出射光を視認部としての孔２ｈに確実に導くことができ、また導光体２ｉ自体が発光することと相俟って、視認部によるＬＥＤ出射光の視認がさらに容易になる。
【００３８】
しかも、この場合には、導光体２ｉが指向性を有しているので、外部視認用のＬＥＤ発光素子１１の光軸方向を視認部に一致させておくことにより、視認部を通して光軸方向が明確になり、これにより、照明用のＬＥＤ発光素子１２からの出射光の方向（つまり照射方向）を明確に確認できるようになる。
【００３９】
〔第４の実施例〕
前記第１ないし第３の実施例では、口金部３が照明管２の端部に固定された例を示したが、本発明の適用はこれに限定されるものではなく、照明管２および口金部３は相対回転可能に設けられていてもよい。図７ないし図１５は、本発明の第４の実施例による回転機構付きＬＥＤ照明装置を示している。これらの図において、図７および図８は回転機構の第１の例を、図９および図１０は回転機構の第２の例を、図１１ないし図１３は回転機構の第３の例をそれぞれ示しており、図１４および図１５は回転機構付きＬＥＤ照明装置の使用方法を説明するための図である。なお、これらの図において、同一符号は同一または相当部分を示している。また、この第４の実施例で示す各回転機構は回転機構の一例であって、これら以外に種々のものが考えられる。
【００４０】
〈回転機構の第１の例〉
図７に示すように、照明管２の端部は基部２０を有しており、その外側には、基部２０に隣接して口金部３が設けられている。
【００４１】
図８に示すように、基部２０の端面には、その外周に沿って円環状に延びる領域に複数の歯２０ａが形成されている。また、基部２０の端面中央には、穴２１が形成されている。
【００４２】
口金部３の端面において、基部２０の歯２０ａと対向する円環状の領域には、歯２０ａと噛み合う複数の歯３ａが形成されている。また、口金部３の端面中央には、軸部３１の一端が植設されており、軸部３１の他端は、基部２０に形成された穴２１内に延びている。これら軸部３１および穴２１により、口金部３の基部２０に対するセンタリング（芯出し）が行われている。
【００４３】
この場合には、口金部３および基部２０を互いに離反する側に向かって軸方向に移動させると、口金部３および基部２０の各歯３ａ、２０ａの噛合状態が外れ、これにより、照明管２が口金部３に対して軸芯回りに回転可能な状態におかれる。
【００４４】
この状態から、照明管２を所望量回転させた後、再び口金部３および基部２０を互いに接近する側に向かって軸方向に移動させることにより、口金部３および基部２０の各歯３ａ、２０ａが再び噛合状態におかれる。
【００４５】
このようにして、照明用のＬＥＤ発光素子１２の照射方向を所望の方向に変更でき、配光特性を変更できる。このとき、照明管２に視認部としての孔２ｈが設けられていることで、照明管２を回転させた場合でも、ＬＥＤ照明装置であることの視認が外部から容易に行える。
【００４６】
この場合において、照明管２の内部に、前記第２の実施例による導光ガイド２ｇが設けられている場合には、図１４に示すように、導光ガイド２ｇにより、外部視認用のＬＥＤ発光素子１１からの出射光を視認部としての孔２ｈに確実に導くことができるので、照明管２を回転させた場合でも、視認部によるＬＥＤ出射光の視認を容易に行える（この点は、後述する回転機構の第２および第３の例においても同様）。
【００４７】
また、この場合において、照明管２の内部に、前記第３の実施例による導光体２ｉが設けられている場合には、図１５に示すように、導光体２ｉが指向性を有することと相俟って、外部視認用のＬＥＤ発光素子１１からの出射光をより確実に視認部に導くことができる。すなわち、この場合には、外部視認用のＬＥＤ発光素子１１の光軸方向を視認部に一致させることができる。これにより、照明管２を回転させた場合でも、視認部によるＬＥＤ出射光の視認を一層容易に行えるとともに、外部視認用のＬＥＤ発光素子１１の光軸方向を通して、照明用のＬＥＤ発光素子からの出射光の方向（つまり照射方向）を明確に確認できるようになる（この点は、後述する回転機構の第２および第３に例においても同様）。
【００４８】
使用の際、使用者は、図１５に示すように、視認部を通して照明管内部を見て、外部視認用のＬＥＤ発光素子１１の光軸方向（図中、一点鎖線Ｌの方向）を使用者の所望する方向に合わせることにより、照明用のＬＥＤ発光素子１２の光軸方向（照射方向）を使用者の所望する方向に向けることができる。
【００４９】
なお、口金部３および基部２０の係合は、上述したギヤ噛合いには限定されない。例えば、基部２０（または口金部３）にラチェットホイール（爪車）を設け、これに係合するポール（爪）を口金部３（または基部２０）に設けるようにしてもよい。
【００５０】
〈回転機構の第２の例〉
図９に示すように、照明管２の端部は基部２０を有しており、その外周に口金部３が装着されるようになっている。
【００５１】
基部２０の端面２０ｂには、円周上に所定間隔で配置された複数の穴２２が形成されており、各穴２２には、出没自在なボール２３と、これを突出方向に付勢する圧縮コイルバネ２４とが収容されている。ボール２３は、圧縮コイルバネ２４の弾性反発力により、その一部が穴２２の開口端から突出する方向に常時付勢されている。また、基部２０の外周には、円周溝２０ｃが形成されている。
【００５２】
基部２０の端面２０ｂと対向する口金部３の端面３ｃには、円周上に所定間隔で球面状（または円錐状等）の浅い穴３２が複数個形成されている。各穴３２の間隔は、基部２０の側の各穴２２の間隔に対応しており、各穴３２には、各ボール２３が係脱自在に係合するようになっている。また、口金部３の外周縁部の一部は、基部２０の側に向かって薄肉状に延設されており、その延設部３３の先端には、半径方向内方に向かって屈曲するフック部３３ａが形成されている。このフック部３３ａが基部２０の円周溝２０ｃに係合することで、口金部３が基部２０に着脱自在に装着されるようになっている。
【００５３】
この場合には、口金部３を基部２０に装着した状態で、照明管２を所望量回転させる。すると、照明管２とともに基部２０も回転し、このとき、口金部３の各穴３２に係合していた基部２０の側の各ボール２３が各穴３２から離脱して基部２０とともに回転し、照明管２が所望量回転した後、各ボール２３が対応する各穴３２に係合する。
【００５４】
このようにして、照明用のＬＥＤ発光素子１２の照射方向を所望の方向に変更でき、配光特性を変更できる。このとき、照明管２に視認部としての孔２ｈが設けられていることで、照明管２を回転させた場合でも、ＬＥＤ照明装置であることの視認が外部から容易に行える。
【００５５】
なお、図９および図１０に示す例とは逆に、口金部３の側にボールを出没自在に設け、ボールが係合する穴を基部２０の側に形成するようにしてもよい。
【００５６】
また、ＬＥＤ発光素子１１、１２とピン端子３０との電気的接続は、リード線等に限らず、導電性の軸部およびこれに接続するブラシを用いてもよく、あるいは電磁式のラッチ式接点を用いるようにしてもよい。
【００５７】
〈回転機構の第３の例〉
図１１および図１２に示すように、照明管２の基部２０は、円周上に所定間隔で配置された複数の貫通孔２ｇを有する筒状の外周部と、外周部の中央から軸方向に突出するとともに先端に係合突起２５ａを有する軸部２５とを備えている。
【００５８】
図１２および図１３に示すように、口金部３は、有底の筒状部材であって、基部２０と対向する側の端面において軸芯から離れた位置には、軸方向に延びる切込み３ｓが形成されている。切込み３ｓにより仕切られた薄肉部分３Ｓの外周面上には、一対の突起３ｇおよび操作ボタン３ｈが設けられている。各突起３ｇは、基部２０の各貫通孔２ｇ内に係脱自在に係合し得るようになっている。また、口金部３は穴３５を中央に有しており、穴３５の一部には、係合凹部３５ａが形成されている。照明管２の基部２０に口金部３を装着したとき、基部２０の軸部２５が口金部３の穴３５に挿入されるとともに、軸部２５の先端の係合突起２５ａが口金部３の穴３５内の係合凹部３５ａに係脱自在に係合するようになっている。
【００５９】
この場合には、口金部３の各突起３ｇが基部２０の各貫通孔２ｇ内に係合した状態において、操作ボタン３ｈを図１２中の矢印Ｆ方向に押し込むと、口金部３の薄肉部分３Ｓが弾性変形して下方にたわみ、その結果、各突起３ｇが貫通孔２ｇから外れて係合状態が解除される。
【００６０】
この状態から、基部２０とともに照明管２を口金部３の回りに所望量回転させる。そして、照明管２が所望量回転した後、操作ボタン３ｈから指を離すと、弾性変形していた薄肉部分３Ｓが元の状態に戻って、口金部３の各突起３ｇが基部２０の貫通孔２ｇに係合する。
【００６１】
このようにして、照明用のＬＥＤ発光素子１２の照射方向を所望の方向に変更でき、配光特性を変更できる。このとき、照明管２に視認部としての孔２ｈが設けられていることで、照明管２を回転させた場合でも、ＬＥＤ照明装置であることの視認が外部から容易に行える。
【００６２】
〔第５の実施例〕
前記第１ないし第４の実施例では、照明管２に設けられる視認部として、小径の孔２ｈを例にとって説明したが、本発明の適用はこれに限定されない。図１６および図１７は、本発明の第５の実施例によるＬＥＤ照明装置を示している。なお、これらの図において、前記第１ないし第４の実施例と同一符号は同一または相当部分を示している。
【００６３】
図１６および図１７に示すように、照明管２は、円周方向に延びるスリット２ｈ’を一端側に有している。スリット２ｈ’は、外部視認用のＬＥＤ発光素子１１に対向配置されている。また、外部視認用のＬＥＤ発光素子１１の上方には、レンズ１５が配置されている。レンズ１５は、円筒状の曲面（円筒面）を有するレンズであって、外部視認用のＬＥＤ発光素子１１からの光をスリット２ｈ’に沿って線状に出射させるために用いられている。
【００６４】
この場合には、外部視認用のＬＥＤ発光素子１１から出射された光Ｌは、レンズ１５で収束され、照明管２のスリット２ｈ’を通って、外部に放出される（図１７参照）。放出された光を外部から見ると、図１６に示すように、線状に発光して見える。
【００６５】
このとき、使用者は、照明管２のスリット２ｈ’を通して、外部視認用のＬＥＤ発光素子１１からの出射光がＬＥＤ出射光であることを外部から視認でき、これにより、当該照明装置がＬＥＤ発光素子を内蔵するＬＥＤ照明装置であることを外部から容易に視認できる。この場合には、視認部としてのスリット２ｈ’が照明管２に設けられるので、ＬＥＤ照明装置であることの視認が外部から容易に行える。
【００６６】
〔第６の実施例〕
図１８は、本発明の第６の実施例によるＬＥＤ照明装置を示している。同図において、前記第１ないし第５の実施例と同一符号は同一または相当部分を示している。図１８に示すように、照明管２は、天井Ｗに形成された凹部Ｗａ内に取り付けられており、照明管２の下方には、カバー５が設けられている。カバー５は、例えば乳白色等の不透明な部材である。また、照明管２は、ここでは、前記第３の実施例による照明管２が用いられており、照明管２の内部に導光体２ｉが設けられている。
【００６７】
外部視認用のＬＥＤ発光素子１１からの出射光Ｌは、導光体２ｉの内部を進みつつ収束され、孔２ｈの開口部を透過して、カバー５の上に照射される。
【００６８】
この場合には、導光体２ｉの収束作用により、外部視認用のＬＥＤ発光素子１１からの出射光がカバー５の上に集光されるので、カバー５を装着した状態でも、外部視認用のＬＥＤ発光素子１１からの出射光がＬＥＤ出射光であることを外部から視認でき、これにより、当該照明装置がＬＥＤ発光素子を内蔵するＬＥＤ照明装置であることを外部から容易に視認できる。
【００６９】
〔他の実施例〕
前記各実施例では、照明管として長手方向に直線状に延びる直管型のものを例にとって説明したが、本発明の適用はこれには限定されず、照明管としては、湾曲形状の他、Ｖ字状やＷ字状等の屈曲形状でもよく、あるいはバルブ状のものでもよい。また、口金部を照明管の一端にのみ配置した片口金型の照明管でもよい。
【産業上の利用可能性】
【００７０】
本発明は、一般の照明に用いられるＬＥＤ照明装置に好適であり、とくに、照射方向を変えられる回転機構を備えた回転機構付きＬＥＤ照明装置に適している。
【符号の説明】
【００７１】
１：  ＬＥＤ照明装置
２：  照明管
２ｇ：  導光ガイド（導光手段）
２ｈ：  孔（視認部）
２ｉ：  導光体（導光手段）
３：  口金部
３０：  ピン端子（電極）
１１：  外部視認用のＬＥＤ発光素子
１２：  照明用のＬＥＤ発光素子
【先行技術文献】
【特許文献】
【００７２】
【特許文献１】特開２００７−２５７９２８号公報（図１、図２参照）
【特許文献２】特開２００７−１２２９３３号公報（図１〜図３参照）
【図１】
2011233400.tif 000003
【図２】
2011233400.tif 000004
【図３】
2011233400.tif 000005
【図４】
2011233400.tif 000006
【図５】
2011233400.tif 000007
【図６】
2011233400.tif 000008
【図７】
2011233400.tif 000009
【図８】
2011233400.tif 000010
【図９】
2011233400.tif 000011
【図１０】
2011233400.tif 000012
【図１１】
2011233400.tif 000013
【図１２】
2011233400.tif 000014
【図１３】
2011233400.tif 000015
【図１４】
2011233400.tif 000016
【図１５】
2011233400.tif 000017
【図１６】
2011233400.tif 000018
【図１７】
2011233400.tif 000019
【図１８】
2011233400.tif 000020